(57)【要約】      （修正有）【課題】放射能測定機能付き端末の測定データを利用した放射能情報通知システムを提供する。【解決手段】放射能測定のための放射能測定機能及び位置情報機能付き端末６を利用し、またネットワーク１内に放射能データ分析処理のためのサーバ２、放射能情報データベース３、位置情報データベース４の各設備を設置する。放射能測定機能と位置情報送出機能を付与された多数の端末から送られた放射能データと位置情報８を基に、ネットワークの処理装置において放射能濃度分布図などの放射能情報を作成する。放射能情報を携帯端末等に通知することにより端末の保有者は自分の場所や周辺の放射能の濃度をリアルタイムに把握することが可能となり、避難などの指標となる。【選択図】図１
2014038076.tif 000002
【特許請求の範囲】
【請求項１】
グローバル測位システム（以下“ＧＰＳ”と記す）や無線基地局位置情報、交換装置、アクセスゲートウエイサーバ等により物理的位置情報の検出が可能とする携帯電話端末、カーナビゲーション端末等の移動体端末及び固定電話端末（以下“端末”と記す）等に、さらに放射能検出機能を付与して、端末の位置情報と放射能情報を自動的に収集・分析し、そのデータを用いて放射能分布情報を地図上表示、テキスト等により問合せ又は自動的に通知するサービス方式及びシステム
【請求項２】
請求項１において、予め設定した基準値を超えた放射能を検出した場合、その地域に存在するすべての端末にアラーム情報と放射能情報を通知するサービス方式及びシステム
【発明の詳細な説明】
【技術分野】
【０００１】この発明は携帯電話端末等の移動体端末及び固定端末の位置情報を利用した放射能情報通知サービス方式及びシステムに関する。
【先行技術文献】
【特許文献】
【０００２】
【特許文献１】特願１１−３６３１７８
【非特許文献】
【０００３】
【非特許文献１】なし
【発明の概要】
【従来の技術及び発明が解決しようとする課題】
【０００４】  従来の放射能分布情報は、放射能測定機関が特定の放射能測定装置で測定したデータを基に作成され通知されていた。又、放射能測定機能付き携帯電話端末も開発されているが、測定結果は測定した端末のみに表示されていた。
【課題を解決するための手段】
【０００５】  請求項１では、課題を解決するために、放射能測定のための放射能測定機能及び位置情報機能付き端末を利用し、及びネットワーク内に放射能データ分析処理のためのサーバ、放射能情報データベース、位置情報データベースの各設備を設置する。放射能測定機能と位置情報送出機能を付与された不特定多数の端末から送られた多数の放射能測定データと位置情報を基に、ネットワークの処理装置において分析し、放射能濃度分布図などの放射能情報を作成する。放射能情報を移動体端末等に通知することにより端末の保有者は自分の場所や周辺の放射能の濃度をリアルタイムに把握することが可能となり、避難などの指標となる。また周辺地域の放射能濃度が分かることにより、避難先の選定にも利する。
【０００６】  請求項２では、更に災害情報の地域限定型一斉同報通信方式を利用することにより、予め設定された基準値を超えた放射能を検出した場合には、その地域のすべての端末にアラーム情報及び放射能強度及び分布状況等の放射能情報を一斉に通知することにより、迅速かつ適切な避難が可能となる。
【発明の効果】
【０００７】  放射能測定機能付き端末で測定されたデータを分析処理し、放射能濃度分布図等の送られた放射能情報により住民の避難などの指標となる。また周辺地域の放射能濃度が分かることにより、避難先の選定も容易になり、原子力発電所の事故等の災害安全対策に資する。
【図面の簡単な説明】
【０００８】
【図１】システム構成と情報フロー図である。通信ネットワーク１内に放射能データ分析処理のためのサーバ２、放射能情報データベース（ＤＢ）３、位置情報データベース（ＤＢ）４の各設備を設置する。不特定多数の放射能測定機能及び位置情報機能付き端末５から送られた位置情報及び放射能測定データ８は通信ネットワーク１内の処理サーバ２に送られる。処理サーバ２は位置情報及び放射能測定データ９を放射能情報ＤＢ３に蓄積する。処理サーバ２は放射能情報ＤＢ３から放射能データ１０を取出し、分析処理し、放射能情報１３として放射能分布図、テキスト等を作成し、端末６から問合せ１４があった場合に放射能情報１５をリアルタイムに通知する。
【０００９】  また、放射能濃度が予め設定した基準値を超えた場合には、処理サーバ２は該当するエリアＩＤを位置情報ＤＢ４に送り、エリア内端末の通知先ＩＤ１２を位置情報ＤＢ４から入手し、自動的にアラーム情報及び放射能情報１３をその地域の全ての端末７に通知する。
放射能測定データの分析処理及び放射能情報作成の機能及び装置は通信ネットワーク内に配備するが、通信ネットワーク外に配備することも可能である。
【発明を実施するための形態】
【００１０】  放射能測定のための放射能測定機能及び位置情報機能付き端末を利用し、通信ネットワーク内に放射能データ分析処理のためのサーバ、放射能情報データベース、位置情報データベースの各設備を設置する。放射能測定機能付き端末で測定されたデータを分析処理し、放射能情報を分布図、テキスト等を作成し、ネットワーク内処理装置から各種端末にリアルタイムに通知する。
【００１１】  また、放射能濃度が予め設定した基準値を超えた場合には、自動的にアラーム情報をその地域の各種端末に通知する。
放射能測定データの分析処理及び放射能情報作成の機能は通信ネットワーク内に配備するが、通信ネットワーク外に配備することも可能である。
【実施例】
【００１２】  放射能測定機能付き端末で測定されたデータを分析処理し、放射能情報を分布図、テキスト等を作成し、ネットワーク内処理装置から各種端末にリアルタイムに通知する。放射能濃度分布図等の送られた放射能情報により住民の避難などの指標となる。また周辺地域の放射能濃度が分かることにより、避難先の選定も容易になり、原子力発電所事故等の災害安全対策に資する。【００１３】  また、放射能濃度が予め設定した基準値を超えた場合は、自動的にアラーム情報をその地域の各種端末に通知することにより、原子力発電所の事故時に迅速な避難が可能となる。
【産業上の利用可能性】
【００１４】  放射能測定機能付き端末で測定された多くのデータを分析処理し、放射能情報を分布図、テキスト等で作成し、ネットワーク内処理装置から端末にリアルタイムに通知する。放射能濃度分布図等の送られた放射能情報により住民の避難などの指標となる。また周辺地域の放射能濃度が分かることにより、避難先の選定も容易になり、原子力発電所事故等の災害安全対策に資する。【００１５】  また、放射能濃度が予め設定した基準値を超えた場合には、自動的にアラーム情報をその地域の端末に通知することにより、原子力発電所の事故時に迅速な避難が可能となる。
【符号の説明】
【００１６】１    通信ネットワーク
２    処理サーバ
３    放射能情報ＤＢ
４    位置情報ＤＢ
５    位置情報及び放射能測定機能付端末
６    端末（全て）
７    端末（基準値を超えたエリア内）
８    位置情報及び放射能測定データ
９    位置情報及び放射能測定データ
１０  放射能データ
１１  エリアＩＤ
１２  通知先端末ＩＤ
１３  アラーム情報及び放射能情報
１４  問合せ
１５  放射能情報
【図１】
2014038076.tif 000003